(57)【要約】      （修正有）【課題】吊下体への挿通状態において、確実強固にこの吊下体へ係止状態となり、安定した状態で貝類を係止して保持できる貝類係止具を提供する。【解決手段】吊下体２０に設けた穴２１へ挿通され、貝類３０を掛け止める貝類挿入止具１であって、基体２と、その中央部領域に一定間隔を隔て対称配置に設けた一対の立ち上がり基部と、一対の立ち上がり基部の突出端に中央部に向かって斜め下方に向けて一体形成された一対の先端曲部とを具備し、吊下体２０への挿通状態でその外周部両側に対して先端曲部を吊下体２０の中心に向う斜め下向き方向の弾力をもって圧接させる一対の吊下体係止突片３と、一対の吊下体係止突片３よりも各々端部側から吊下体係止突片３側に向けて突設した一対の受止片４と、を有する構成とした。【選択図】図７
0003153707.tif 000002
【実用新案登録請求の範囲】
【請求項１】
吊下体に設けた穴へ挿通されるとともに、吊下体からの突出部分で貝類を掛け止める弾性合成樹脂材からなる貝類挿入止具であって、
棒状の基体と、
該基体の中央部領域に対称配置に突設した前記吊下体への挿通状態で吊下体の外周部両側に対して吊下体の中心に向う斜め下向き方向の弾力をもって圧接する一対の吊下体係止突片と、
前記基体における前記一対の吊下体係止突片よりも各々端部側から吊下体係止突片側に向けて、かつ、基体からの立ち上がり部が弧状を呈する状態で突設した一対の貝類用の受止片と、
を有することを特徴とする貝類挿入止具。
【請求項２】
吊下体に設けた穴へ挿通されるとともに、吊下体からの突出部分で貝類を掛け止める弾性合成樹脂材からなる貝類挿入止具であって、
棒状の基体と、
該基体の中央部領域に一定間隔を隔て対称配置に設けた基体からその中央部に向けて斜め上方に立ち上がる一対の立ち上がり基部と、一対の立ち上がり基部の突出端に中央部に向かって斜め下方に向けて一体形成され、かつ、一対の先端曲部間の間隔を前記吊下体の直径より小さくした一対の先端曲部とを具備し、前記吊下体への挿通状態で吊下体の外周部両側に対して前記先端曲部を吊下体の中心に向う斜め下向き方向の弾力をもって圧接させる一対の吊下体係止突片と、
前記基体における前記一対の吊下体係止突片よりも各々端部側から吊下体係止突片側に向けて、かつ、基体からの立ち上がり部が弧状を呈する状態で突設した一対の貝類用の受止片と、
を有することを特徴とする貝類挿入止具。
【請求項３】
吊下体に設けた穴へ挿通されるとともに、吊下体からの突出部分で貝類を掛け止める弾性合成樹脂材からなる貝類挿入止具であって、
丸棒状の基体と、
該基体の中央部領域に一定間隔を隔て対称配置に設けた基体からその中央部に向けて斜め上方に立ち上がる一対の棒状の立ち上がり基部と、一対の立ち上がり基部の突出端に中央部に向かって斜め下方に向けて一体形成され、かつ、一対の先端曲部間の間隔を前記吊下体の直径より小さくした棒状で先端面を各々丸めた形状の一対の先端曲部とを具備し、前記吊下体への挿通状態で吊下体の外周部両側に対して前記先端曲部を吊下体の中心に向う斜め下向き方向の弾力をもって圧接させる一対の吊下体係止突片と、
前記基体における前記一対の吊下体係止突片よりも各々端部側から吊下体係止突片側に向けて、かつ、基体からの立ち上がり部が弧状を呈する状態で突設した一対の貝類用の受止片と、
を有することを特徴とする貝類挿入止具。
【考案の詳細な説明】
【技術分野】
【０００１】
本考案は、帆立貝、真珠貝等の各種貝類の養殖に用いられ、貝類の吊下体への挿通状態において、確実強固にこの吊下体へ係止状態となり、安定した状態で貝類を係止して保持できる貝類挿入止具に関するものである。
【背景技術】
【０００２】
従来、帆立貝等の貝類の養殖を行う際には、海中に水平方向に張ったロープから編ロープ等の吊下体を垂れ下げ、この吊下体に合成樹脂材等からなる多数の貝類係止具を挿入し、更に各貝類係止具を帆立貝等の貝類に開けた穴に挿入することで貝類を海中で係止する耳吊り養殖と称される方法が行われている。
【０００３】
そして、このような貝類の養殖を行うための貝類係止具は従来から多数提案され、実用に供されているが、貝類係止具をロープへの挿通状態において確実強固にロープへ係止するような構成のものは殆ど見当たらないのが現状である。
【０００４】
例えば、特許文献１においては、プラスチック製で海中に垂れ下げるロープに挿通する軸２、この軸２の中央部に形成したロープへの挿通状態でその外周部両側に位置する一対の突起５を有し、軸２の両端近傍位置で貝類を掛け止めるように構成した貝の耳吊り養殖用てぐすが開示されている。
この特許文献１の場合、一対の突起５は、軸２から各々垂直に立ち上げ、その先端部に内方斜め上方に向かって略Ｌ状に僅かに曲げた先細形状の係止突片を形成したものであり、しかも一対の突起５の間隔はロープの直径より大きいことから、前記一対の突起５は、耳吊り養殖用てぐす自体の軸２の長さ方向への大きな位置ずれを防止するための単なるストッパー機能しか有しないものであった。
【先行技術文献】
【特許文献】
【０００５】
【特許文献１】特開昭６２−１８２７２５号公報
【考案の概要】
【考案が解決しようとする課題】
【０００６】
本考案が解決しようとする問題点は、海中に吊り下げる吊下体への貝類の挿通状態において、確実強固にこの吊下体へ係止状態となり、安定した状態で貝類を係止して保持でき貝類養殖の生産性向上に資することができるような貝類係止具が存在しない点である。
【課題を解決するための手段】
【０００７】
本考案は、吊下体に設けた穴へ挿通されるとともに、吊下体からの突出部分で貝類を掛け止める弾性合成樹脂材からなる貝類挿入止具であって、棒状の基体と、該基体の中央部領域に対称配置に突設した前記吊下体への挿通状態で吊下体の外周部両側に対して吊下体の中心に向う斜め下向き方向の弾力をもって圧接する一対の吊下体係止突片と、前記基体における前記一対の吊下体係止突片よりも各々端部側から吊下体係止突片側に向けて、かつ、基体からの立ち上がり部が弧状を呈する状態で突設した一対の貝類用の受止片と、を有することを最も主要な特徴とする。
【考案の効果】
【０００８】
請求項１記載の考案によれば、棒状の基体に、吊下体への挿通状態で吊下体の外周部両側に対して吊下体の中心に向う斜め下向き方向の弾力をもって圧接する一対の吊下体係止突片と、貝類を挿通して係止する一対の受止片とを設けたものであるから、海中に吊り下げる吊下体への挿通状態において、確実強固にこの吊下体へ係止状態となり、安定した状態で貝類を係止して保持でき貝類養殖の生産性向上に資することができる貝類係止具を実現し提供することができる。
【０００９】
請求項２記載の考案によれば、棒状の基体に、この基体からその中央部に向けて斜め上方に立ち上がる一対の立ち上がり基部と、その突出端に中央部に向かって斜め下方に向けて一体形成され、かつ、一対の先端曲部間の間隔を前記吊下体の直径より小さくした一対の先端曲部とにより構成した一対の吊下体係止突片と、一対の受止片とを設けた構成の基に、海中に吊り下げる吊下体への挿通状態において、確実強固にこの吊下体へ係止状態となり、安定した状態で貝類を係止して保持でき貝類養殖の生産性向上に資することができる貝類係止具を実現し提供することができる。
【００１０】
請求項３記載の考案によれば、請求項２記載の考案と同様な構成で、かつ、一対の立ち上がり基部、一対の先端曲部を各々棒状として、更に、一対の先端曲部の先端面を丸めた構成の基に、海中に吊り下げる吊下体への挿通状態において、確実強固にこの吊下体へ係止状態となり、安定した状態で貝類を係止して保持でき貝類養殖の生産性向上に資することができる貝類係止具を実現し提供することができる。
【図面の簡単な説明】
【００１１】
【図１】図１は本考案の実施例に係る貝類挿入止具の正面図である。
【図２】図２は本実施例に係る貝類挿入止具の平面図である。
【図３】図３は本実施例に係る貝類挿入止具の底面図である。
【図４】図４は本実施例に係る貝類挿入止具の側面図である。
【図５】図５は図１のＡ−Ａ線拡大断面図である。
【図６】図６は図４のＢ−Ｂ線断面図である。
【図７】図７は本実施例に係る貝類挿入止具の使用状態を示す概略斜視図である。
【図８】図８は本実施例に係る貝類挿入止具における先端曲部の吊下体への圧接状態を示す説明図である。
【考案を実施するための形態】
【００１２】
本考案は、海中に吊り下げる吊下体への挿通状態において、確実強固にこの吊下体へ係止状態となり、安定した状態で貝類を係止して保持でき貝類養殖の生産性向上に資することができ貝類係止具を実現し提供するという目的を、吊下体に設けた穴へ挿通されるとともに、吊下体からの突出部分で貝類を掛け止める弾性合成樹脂材からなる貝類挿入止具であって、棒状の基体と、該基体の中央部領域に一定間隔を隔て対称配置に設けた基体からその中央部に向けて斜め上方に立ち上がる一対の立ち上がり基部と、一対の立ち上がり基部の突出端に中央部に向かって斜め下方に向けて一体形成され、かつ、一対の先端曲部間の間隔を前記吊下体の直径より小さくした一対の先端曲部とを具備し、前記吊下体への挿通状態で吊下体の外周部両側に対して前記先端曲部を吊下体の中心に向う斜め下向き方向の弾力をもって圧接させる一対の吊下体係止突片と、前記基体における前記一対の吊下体係止突片よりも各々端部側から吊下体係止突片側に向けて、かつ、基体からの立ち上がり部が弧状を呈する状態で突設した一対の貝類用の受止片と、を有する構成により実現した。
【実施例】
【００１３】
以下に、本考案の実施例に係る貝類係止具について図面を参照して詳細に説明する。
【００１４】
本実施例に係る貝類挿入止具１は、図１乃至図６に示すように、例えば弾性を有する合成樹脂材からなり、ロープ等の吊下体２０に穿設した穴２１に挿通する例えば丸棒状の基体２と、この基体２の中央部領域に設けた吊下体２０への挿通状態で吊下体２０の外周部両側に係止する一対の吊下体係止突片３、３と、前記一対の吊下体係止突片３、３よりも各々端部２ａ、２ａ側から吊下体係止突片３、３側に向けて、かつ、基体２からの立ち上がり部４ａが小径の円弧状又は湾曲状を呈する状態で突設した一対のハの字状を呈し基体２の上方へ向けて湾曲した貝類３０用の受止片４、４と、を有している。
【００１５】
前記基体２の両端部（穂先部）２ａ、２ａ側は、各々貝類３０に設けた穴３１に挿入し易いように受止片４、４の立ち上がり部４ａから突出端に至るに従い太さが漸減する先細状に形成している。
【００１６】
前記基体２の前記受止片４、４の立ち上がり部分より吊下体係止突片３、３側の領域２ｂ、２ｂ、すなわち、前記立ち上がり部４ａに連なる領域２ｂ、２ｂは、これら吊下体係止突片３、３の立ち上がり部分における基体２の寸法よりも小径（薄肉）としている。
【００１７】
前記受止片４における基体２からの立ち上がり部４ａを、小径の円弧状又は湾曲状を呈する形状とすることにより、この部分の強度が大きくなり、貝類３０が海流等で位置ずれし受止片４に衝突する等した場合の外力の作用による前記受止片４の引き裂かれを防止できる。
【００１８】
前記一対の吊下体係止突片３、３は、基体２の中央部領域に一定間隔を隔て対称配置に設けた前記基体２からその中央部に向けて斜め上方に立ち上がる棒状の立ち上がり基部３ａと、この立ち上がり基部３ａの突出端に中央部に向かって斜め下方に一体形成した棒状の先端曲部３ｂとを各々具備している。
【００１９】
前記先端曲部３ｂの先端面は、図１、図６に示すように例えば半円柱状に丸めた形状としている。
【００２０】
また、図６、図８に示すように、前記一対の先端曲部３ｂ、３ｂ間の間隔Ｌは、前記吊下体２０の直径Ｄよりも小さくなるように設定している。
【００２１】
次に、上記構成の貝類挿入止具１の使用状態について図７、図８を参照して説明する。
【００２２】
まず、前記吊下体２０に予め穿設した図７に示す穴２１に、一方の端部２ａ側から貝類挿入止具１を挿入する。
【００２３】
貝類挿入止具１の前記穴２１への挿入に伴い、この貝類挿入止具１の一方の受止片４及び一方の吊下体係止突片３における先端曲部３ｂを具備する立ち上がり基部３ａが各々屈曲しつつ穴２１を通り抜ける。
【００２４】
前記穴２１を通り抜けた一方の受止片４及び一方の吊下体係止突片３は、各々それ自体の弾性により元の状態に立ち上がり、図７に示すように、通り抜けた側の棒状の先端曲部３ｂが吊下体２０の外周に斜め下向きの状態でその丸めた形状の先端面を圧接する状態となる。
【００２５】
同時に他方の吊下体係止突片３における棒状の先端曲部３ｂも、図７に示すように、吊下体２０の外周に斜め下向きの状態でその丸めた形状の先端面を圧接する状態となる。
【００２６】
すなわち、前記吊下体２０における前記穴２１の上方近傍位置の外周両側は、一対の吊下体係止突片３、３の先端曲部３ｂ、３ｂにより、図８に示すように、各々吊下体２０の中心に向かって斜め下方に作用する弾力を伴って挟み込まれた状態となる。
【００２７】
このとき、一対の立ち上がり基部３ａ、３ａ、先端曲部３ｂ、３ｂを各々棒状に形成しているので、前記先端曲部３ｂ、３ｂから吊下体２０の外周に作用させる弾力を強力にすることができる。
【００２８】
この結果、前記貝類挿入止具１を前記吊下体２０の定位置に位置ずれが生じることのない確実強固な状態で係止することができる。
【００２９】
なお、図７には一個の貝類挿入止具１のみを示すが、多数の貝類挿入止具１が上述した場合と同様にして吊下体２０の定位置に各々係止される。
【００３０】
次に、吊下体２０から両側に突出する貝類挿入止具１の一対の受止片４、４よりも外側から各々吊下体２０側に貝類３０を挿入する。具体的には、２個の貝類３０に各々穿設した穴３１に前記端部２ａ、２ａを挿入するようにして２個の貝類３０を各々吊下体２０側に押し込む。
【００３１】
このとき、貝類挿入止具１の一対の受止片４、４が各々一旦屈曲し、貝類３０が通り過ぎるとそれ自体の弾性により元の状態に立ち上がる。
以上説明したように、本実施例の貝類挿入止具１によれば、吊下体２０の定位置に前記貝類挿入止具１を確実強固な状態で係止しつつ、この吊下体２０から両側方に突出する前記貝類挿入止具１により２個の貝類３０を挿入、保持して貝類３０の安定した養殖を実行することが可能となり、貝類３０の養殖作業の生産性向上に資することができる。
【産業上の利用可能性】
【００３２】
本考案の貝類挿入止具は、上述したような帆立貝の養殖用として用いる他、真珠貝その他の各種養殖貝類に関しても広範に適用可能である。
【符号の説明】
【００３３】
１    貝類挿入止具
２    基体
２ａ  端部
２ｂ  領域
３    吊下体係止突片
３ａ  基部
３ｂ  先端曲部
４    受止片
４ａ  立ち上がり部
２０    吊下体
２１    穴
３０    貝類
３１    穴
【図１】
0003153707.tif 000003
【図２】
0003153707.tif 000004
【図３】
0003153707.tif 000005
【図４】
0003153707.tif 000006
【図５】
0003153707.tif 000007
【図６】
0003153707.tif 000008
【図７】
0003153707.tif 000009
【図８】
0003153707.tif 000010